(57)【要約】【課題】  本発明の目的は組立戸棚を提供することにある。【解決手段】  本発明の組立戸棚は次の技術的特徴を有している。前記組立戸棚は構成ユニットと連結装置を含み、前記連結装置は構成ユニットの４つのアングルにそれぞれ取付けられるＬ型保護部と挿入部を含む。対向する任意の２つのＬ型保護部の側面と構成ユニットの外部壁部により梯形結合凹部が形成され、梯形結合凹部内には２つの梯形が接続されて形成された断面を有している挿入部が挿入される。隣接する２つの構成ユニットは挿入部により連結され、隣接する２つの構成ユニットが結合凹部と挿入部により連結されることにより組立戸棚が組み立てられる。本発明は従来の組立戸棚の運搬の利便性がよくない問題と構成ユニットの間の解体を容易にすることができない問題とを解決することができる。連結装置は組立戸棚の平坦性に影響を与えない前提下において連結部の引き出しを容易にすることにより組立戸棚の解体を容易にすることができる。【選択図】  図１
2019527122.tif 000002
【特許請求の範囲】
【請求項１】
構成ユニット（１）と連結装置（２）を含む組立戸棚であって、前記連結装置（２）は構成ユニット（１）の外周の４つのアングルにそれぞれ取付けられるＬ型保護部（２１）と挿入部（２２）を含み、対向する任意の２つのＬ型保護部（２１）の側面と構成ユニット（１）の外部壁部により梯形結合凹部（１１）が形成され、梯形結合凹部（１１）内には２つの梯形が接続されて形成された断面を有している挿入部（２２）が挿入され、隣接する２つの構成ユニット（１）は挿入部（２２）により連結されることを特徴とする組立戸棚。
【請求項２】
前記結合凹部（１１）内には断面が梯形である挿入板（１２）が挿入されることを特徴とする請求項１に記載の組立戸棚。
【請求項３】
前記組立戸棚の底部には組立戸棚が地面から離れるように支持する支持フレーム（１３）が取り付けられていることを特徴とする請求項１に記載の組立戸棚。
【請求項４】
前記構成ユニット（１）の前端には開口が形成され、前記開口上には密閉板（１４）、ドア（１５）、引き出し（１６）または分割板（１７）が取付けられることを特徴とする請求項１に記載の組立戸棚。
【請求項５】
前記構成ユニット（１）の後端には開口が形成され、前記開口上には密閉板（１４）またはドア（１５）が取付けられることを特徴とする請求項４に記載の組立戸棚。
【請求項６】
前記挿入部（２２）には引出装置（３）が取り付けられ、前記引出装置（３）は、前記挿入部（２２）に固定される円筒部（３０）と、前記円筒部（３０）の内部にスライド可能に結合される引出棒（３１）と、円筒部（３０）内に取り付けられて引出棒（３１）の伸縮を駆動する弾性伸縮モジュール（３２）とを含み、引出棒（３１）の端部を押すことにより引出棒（３１）を突出させるとき、引出棒（３１）の長さは手で掴むことができる長さになることを特徴とする請求項１に記載の組立戸棚。
【請求項７】
前記結合凹部（１１）の片側には挿入部（２２）の移動を防止する木製楔（４）が挿入されていることを特徴とする請求項６に記載の組立戸棚。
【請求項８】
前記円筒部（３０）の内部には二組の引出棒（３１）と引出棒（３１）の移動を駆動する二組の弾性伸縮モジュール（３２）とが対称に取り付けられることを特徴とする請求項６に記載の組立戸棚。
【請求項９】
前記弾性伸縮モジュール（３２）は、スペーサー（３２０）、スプリング（３２１）、止動部（３２２）、押し部（３２３）および位置決め部（３２４）を含み、スペーサー（３２０）は円筒部（３０）の端面に平行配置されかつ円筒部（３０）の中部に緊密に結合され、スプリング（３２１）はスペーサー（３２０）に当接し、止動部（３２２）は挿入柱体（３２２０）と挿入柱体（３２２０）の軸線を円心としかつ挿入柱体（３２２０）の外周面に配列される４つの挿入板部（３２２１）とを含み、スプリング（３２１）の反対側に位置する挿入板部（３２２１）の一端は楔形面（３２２２）であり、押し部（３２３）は引出棒（３１）の軸線を円心としかつ引出棒（３１）の外周面に配列される８つの当接部（３２３０）と止動部（３２２）に接近する引出棒（３１）の一端に均等に配列される楔形歯（３２３１）とを含み、楔形歯（３２３１）の数量は８個でありかつこの位置は当接部（３２３０）の位置と対応し、楔形歯（３２３１）の斜面は挿入板部（３２２１）の楔形面（３２２２）に結合され、位置決め部（３２４）は、一端に開口が形成される蓋部（３２４０）、蓋部（３２４０）の内周面に均等に形成される４つの位置決め凹部（３２４２）および４つの滑動凹部（３２４１）を含み、位置決め凹部（３２４２）と滑動凹部（３２４１）は交替に配置されかつその間に形成されている距離は等しく、開口の反対側に位置する蓋部（３２４０）の片側には貫通孔が形成され、引出棒（３１）は前記貫通孔から突出し、引出棒（３１）の駆動により当接部（３２３０）は位置決め凹部（３２４２）と滑動凹部（３２４１）により形成された凹部内でスライドし、挿入柱体（３２２０）の駆動により挿入板部（３２２１）は４つの滑動凹部（３２４１）により形成された空間内でスライドすることを特徴とする請求項６〜８のうちいずれか一項に記載の組立戸棚。
【請求項１０】
前記引出装置（３）はプラスチックで製造されることを特徴とする請求項９に記載の組立戸棚。
【請求項１１】
前記組立戸棚は保護板（５）を更に含み、保護板（５）は構成ユニット（１）で構成された構成体の外周に取付けられることを特徴とする請求項１０に記載の組立戸棚。
【発明の詳細な説明】
【技術分野】
【０００１】
本発明は、家具およびその連結構造に関する技術分野に属し、具体的に組立戸棚（ウォールユニット）に関するものである。
【背景技術】
【０００２】
組立戸棚（ウォールユニット）とは名称のとおり用途が異なっている二種または二種以上の戸棚を一体に組み立てえたものである。組立戸棚は戸棚の機能を確保するとともに戸棚が占める面積を低減することができる。それにより小型の家の室内の空間を効果的に節約することができる。現在常用される組立戸棚には、ブックケースとパソコンデスクの組み合わせ、ブックケースとデスクの組み合わせ、ワードローブ（wardrobe）とドレッサーの組み合わせ、畳とベットの組み合わせ等がある。
【発明の概要】
【発明が解決しようとする課題】
【０００３】
従来の組立戸棚は次のような欠点を有している。すなわち組立戸棚を製造するとき組立戸棚の内部において大きな収納空間を形成するため、構成ユニットの体積は平常の構成ユニットの体積より大きくなる。しかしながら、現在では人の流動が頻繁であり、引っ越しをするたびに家具を一緒に運搬する必要があるので、体積が大きい組立戸棚をを容易に運搬することができない。
【０００４】
組立戸棚は複数個の構成ユニットが連結されて形成され、構成ユニットと構成ユニットの間は結合凹部と連結部により連結される。組立戸棚を解体するとき、所定の連結部を引き出すことにより所定の構成ユニットを取り外すことができる。しかしながら従来の組立戸棚は次の欠点を有している。組立戸棚の表面の平坦性を確保するため、連結部の両端と組立戸棚の表面を平坦にする場合が多い。組立戸棚が壁面と当接するように配置されるとき、壁面側から連結部を押し出すことができないので、結合部を引き出すことができない。それにより従来の組立戸棚を容易に解体することができない。
【０００５】
本発明の目的は組立戸棚を提供することにあり、この組立戸棚は運搬の利便性がよいという利点を有している。
【課題を解決するための手段】
【０００６】
本発明は下記の技術的事項により前記目的を達成することができる。
構成ユニットと連結装置を含む組立戸棚であって、前記連結装置は構成ユニットの外周の４つのアングルにそれぞれ取付けられるＬ型保護部と挿入部を含み、対向する任意の２つのＬ型保護部の側面と構成ユニットの外部壁部により梯形結合凹部が形成され、前記梯形結合凹部内には、２つの梯形が接続されて形成された断面を有している挿入部が挿入され、隣接する２つの構成ユニットは挿入部により連結される。
【０００７】
前記技術的事項を採用することにより組立戸棚は複数個の構成ユニットで構成され、構成ユニットの間は連結装置により連結することができる。組立戸棚を運搬するとき、組立戸棚を複数個の構成ユニットに解体することができ、構成ユニットの体積、重量は組立戸棚よりかなり小さいため運搬を容易にすることができる。連結装置は構成ユニットのアングルに取付けられる保護部と挿入部を含む。梯形の連結構造は、強度が高く、結合の精密度が高いという特徴を有しているので、梯形の連結構造で複数個の構成ユニットを連結させることにより構成ユニットの間の連結の安定性および結合の精密度を向上させることができる。したがって、組立戸棚を容易に運搬するとともに組立戸棚の良好な耐用性および見た目の美観を確保することができる。また、保護部および挿入部と構成ユニットは分離されているので、これらの製造を容易にすることができ、かつ保護部で構成ユニットを保護することにより組立戸棚の耐用性を更に向上させることができる。また、挿入部で隣接する２つの構成ユニットを連結させるか或いは解体するとき、挿入部を結合凹部に直線方向に挿入させるか或いは結合凹部から引き出すことにより隣接する２つの構成ユニットを連結させるか或いは解体することができるので、操作が簡単であり、一定の時間と労力を節約することができる。
【０００８】
本発明の実施例において、前記結合凹部内には断面が梯形である挿入板が挿入される。
【０００９】
前記技術的事項を採用する場合、組立戸棚を組み立てると、外側に位置する構成ユニット上には保護部により形成された結合凹部が形成される。挿入板を結合凹部に挿入することにより、組立戸棚の強度を更に向上させ、かつ組立戸棚の見た目の美観を確保することができる。
【００１０】
本発明の実施例において、前記組立戸棚の底部には組立戸棚が地面から離れるように支持する支持フレームが取り付けられている。
【００１１】
前記技術的事項を採用することにより次の問題を解決することができる。組立戸棚を地面上に直接に取り付けることにより次の２つの問題が発生する可能性がある。一つ目は、組立戸棚の底部と周辺の掃除を容易にすることができないことである。二つ目は、地面の湿気が多いとき、湿気により組立戸棚の寿命が短くなり、かつ組立戸棚に収納される品物に影響を与えることである。そのため組立戸棚が地面から離れるようにその底部に支持フレームを取り付ける必要がある。支持フレームを最低部の構成ユニットの結合凹部に挿入させることにより支持フレームを構成ユニットに結合させることができる。
【００１２】
本発明の実施例において、前記構成ユニットの前端には開口が形成され、前記開口上には密閉板、ドア、引き出しまたは分割板が取付けられる。
【００１３】
前記技術的事項を採用する場合、一部分の構成ユニットの開口に密閉板、ドア、引き出しまたは分割板を取り付けることができるので、使用者の様々な需要によりそれらを自由に組み立てることができる。
【００１４】
本発明の実施例において、前記構成ユニットの後端には開口が形成され、前記開口上には密閉板またはドアが取付けられる。
【００１５】
前記技術的事項を採用することにより使用者が組立戸棚を組み立てる自由性を更に向上させることができる。組立戸棚の一部分の構成ユニットの両側に開口を形成する場合、使用者は組立戸棚のいずれかの側から品物を構成ユニットにのせる或いはおろすことができる。一部分の構成ユニットに２つのドアを取り付けることにより品物を容易にのせる或いはおろすことができ、かつ構成ユニット内に収納される品物を有効に保存することができる。構成ユニットの片側にのみ開口を形成してもよい場合、構成ユニットの他の側の開口には密閉板を取り付けることができる。両側に開口が形成された構成ユニットまたは片側に開口が形成された構成ユニットに引き出し、分割板またはドアを取り付けることにより、組立戸棚を組み立てる自由性を向上させ、使用者の様々な需要を満たすことができる。
【００１６】
構成ユニットの間の解体を容易にすることができない問題を解決するため、連結装置が組立戸棚の平坦性に影響を与えない前提下において連結部の引き出しを容易にすることにより組立戸棚の解体を容易にすることができる。本発明の実施例において、前記挿入部には引出装置が取り付けられ、前記引出装置は、挿入部に固定される円筒部と、前記円筒部の内部にスライド可能に結合される引出棒と、円筒部内に取り付けられて引出棒の突出または収縮を駆動する弾性伸縮モジュールとを含み、引出棒の端部を押すことにより引出棒が突出するとき、引出棒の長さは手で掴むことができる長さになる。
【００１７】
前記技術的事項を採用する場合、引出棒の端部を押すことにより引出棒が突出するので、使用者は手で引出棒を掴んで引き出すことができる。このとき、引出棒は円筒部を介して連結部を引き出すので、組立戸棚を解体し、使用上の利便性を向上させることができる。
【００１８】
本発明の実施例において、前記結合凹部の一側には挿入部の移動を防止する木製楔が挿入されている。
【００１９】
前記技術的事項を採用する場合、使用者が引出装置を使用することにより引出棒の端部を押すとき、挿入部の滑動を防止することができる。実際の使用において、組立戸棚の解体の回数が増加すると、連結部と結合凹部との間の接触面が平滑になるので、連結部を押すときの安定性を確保することができない。そのため、前記結合凹部の片側に木製楔を取り付け、木製楔と結合凹部との間の隙間を無くすことにより挿入部の滑動を防止し、引出装置の安定性を確保することができる。
【００２０】
本発明の実施例において、前記円筒部の内部には二組の引出棒と引出棒の移動を駆動する二組の弾性伸縮モジュールとが対称に取り付けられる。
【００２１】
前記技術的事項を採用することにより次の問題を解決することができる。組立戸棚を壁面に配置するとき、作業者のミスにより押すための引出装置が壁面側に配置されるおそれがある。その場合、使用者は引出装置を使用することができない。その問題を解決するため、引出装置の両方に伸縮可能な引出装置をそれぞれ設けることにより、組立戸棚の使用上の利便性を向上させることができる。
【００２２】
本発明の実施例において、前記弾性伸縮モジュールは、スペーサー、スプリング、止動部、押し部および位置決め部を含み、スペーサーは円筒部の端面に平行配置されかつ円筒部の中部に緊密に結合され、スプリングはスペーサーに当接し、止動部は挿入柱体と挿入柱体の軸線を円心としかつ挿入柱体の外周面に配列される４つの挿入板部とを含み、スプリングの反対側に位置する挿入板部の一端は楔形面であり、押し部は、引出棒と、引出棒の軸線を円心としかつ引出棒の外周面に配列される８つの当接部と、止動部に接近する引出棒の一端に均等に配列される楔形歯とを含み、楔形歯の数量は８個でありかつこの位置は当接部の位置と対応し、楔形歯の斜面は挿入板部の楔形面に結合され、位置決め部は、一端に開口が形成される蓋部、蓋部の内周面に均等に形成される４つの位置決め凹部および４つの滑動凹部を含み、位置決め凹部と滑動凹部は交替に配置されかつその間に形成されている距離は等しく、開口の反対側に位置する蓋部の一側には貫通孔が形成され、引出棒は前記貫通孔から突出し、引出棒の駆動により当接部は位置決め凹部と滑動凹部により形成された凹部内でスライドし、挿入柱体の駆動により挿入板部は４つの滑動凹部により形成された空間内でスライドする。
【００２３】
前記技術的事項を採用する場合、引出装置を使用するとき、使用者は手で円筒部から突出している引出棒の一端を押す。この場合、引出棒は当接部が位置決め凹部および滑動凹部に結合されることにより直線にスライドし、それにより挿入柱体は挿入板部が滑動凹部内でスライドするように駆動し、挿入柱体は下へスライドしながらスプリングを圧縮する。挿入板部が滑動凹部から完全に離脱するとき、引出棒はその上の楔形歯と挿入板部上の楔形面により挿入柱体が挿入板部を４５度回転させるように駆動する。すなわち挿入板部が所定の位置決め凹部と対応する位置まで回転するとき、引出棒の端部は収縮状態になり、引出棒の端部と挿入部の端面は平坦になる。引出棒の一端を再び押すとき、引出棒はその上の楔形歯と挿入板部上の楔形面により挿入柱体が挿入板部を４５度回転させるように駆動する。このとき、挿入板部は所定の滑動凹部と対応する位置まで回転し、スプリングが圧縮状態から自然状態になることにより挿入柱体は挿入板部が滑動凹部内でスライドするように駆動する。それにより引出棒は突出する。前記ステップを繰り返すことにより引出装置は挿入部から突出するか或いは挿入部内に収納されることができる。引出装置が突出しているとき、使用者が手でそれを掴んで引き出すことにより引出装置を挿入部から引き出すことができる。
【００２４】
本発明の実施例において、前記引出装置はプラスチックで製造される。
【００２５】
前記技術的事項を採用する場合、引出装置の結合の構造が複雑であるが、プラスチック金型で引出装置を容易に製造することができる。
【００２６】
本発明の実施例において、前記組立戸棚は保護板を更に含み、保護板は前記構成ユニットで構成された構成体の外周に取付けられる。
【００２７】
前記技術的事項を採用する場合、保護板により組立戸棚の外周が平坦になるので、組立戸棚を容易に使用することができる。
【００２８】
前記技術的事項により本発明は次の発明の効果を奏することができる。組立戸棚は複数個の構成ユニットで構成され、構成ユニットの間は連結装置により連結することができる。組立戸棚を運搬するとき、組立戸棚を複数個の構成ユニットに解体することができ、構成ユニットの体積、重量は組立戸棚よりかなり小さいことにより運搬を容易にすることができる。連結装置は構成ユニットのアングルに取付けられる保護部と挿入部を含む。梯形の連結構造は、強度が高く、結合の精密度が高いという特徴を有しているので、梯形の連結構造で複数個の構成ユニットを連結させることにより構成ユニットの間の連結の安定性および結合の精密度を向上させることができる。それにより組立戸棚を容易に運搬するとともに組立戸棚の良好な耐用性および見た目の美観を確保することができる。また、保護部および挿入部と構成ユニットは分離されているので、これらの製造を容易にすることができ、かつ保護部で構成ユニットを保護することにより組立戸棚の耐用性を更に向上させることができる。また、挿入部で隣接する２つの構成ユニットを連結させるか或いは解体するとき、挿入部を結合凹部に直線方向に挿入させるか或いは結合凹部から引き出すことのみにより隣接する２つの構成ユニットを連結させるか或いは分離させることができるので、操作が簡単であり、一定の時間と労力を節約することができる。また、引出棒の端部を押すことにより引出棒が突出するので、使用者は手で引出棒を掴んで引き出すことができる。このとき、引出棒は円筒部を介して連結部を引き出すので、組立戸棚を解体し、使用上の利便性を向上させることができる。
【図面の簡単な説明】
【００２９】
【図１】本発明の組立戸棚を示す図である。
【図２】本発明の構成ユニットに保護部が取り付けられることを示す構造図である。
【図３】本発明の実施例１の挿入部の構造を示す図である。
【図４】本発明の実施例２の組立戸棚に支持フレームが取り付けられることを示す構造図である。
【図５】本発明の実施例３の組立戸棚の正面図である。
【図６】本発明の引出装置が挿入部から突出していることを示す図である。
【図７】本発明の引出装置を示す図である。
【図８】本発明の引出装置を示す分解図である。
【図９】本発明の押し部と位置決め部の構造を示す図である。
【図１０】本発明の実施例４において挿入部と木製楔が結合される組立戸棚の構造を示す断面図である。
【図１１】本発明の実施例５の引出装置の構造を示す図である。
【図１２】本発明の実施例５において挿入部と木製楔が結合される組立戸棚の構造を示す断面図である。
【発明を実施するための形態】
【００３０】
以下、図面により本発明をより詳細に説明する。
【実施例１】
【００３１】
組立戸棚であり、本発明の連結装置を組立戸棚に用いることができる。組立戸棚は、ワードローブ（wardrobe）、テレビボード、ワイン棚、ブックケース、カップボード等であり、木材、プラスチック、金属、合成材料、複合材料で製造することができる。図１、図２、図３を参照すると、組立戸棚は複数個の構成ユニット１を含み、構成ユニット１は長方体構造でありかつその両側には開口が形成されている。所定の数量の構成ユニット１を採用して、室内の具体的な大きさと形状により自由に組み立てることができる。２つの構成ユニット１の間は連結装置２により連結される。前記連結装置２は、構成ユニット１の外周の４つのアングルにそれぞれ取付けられるＬ型保護部２１と挿入部２２を含む。Ｌ型保護部２１は木材または金属材料で製造されかつネジまたは接着剤により構成ユニット１上に取り付けられる。対向する任意の２つのＬ型保護部２１の側面と構成ユニット１の外部壁部により梯形結合凹部１１が形成される。梯形結合凹部１１内には、２つの梯形が接続されて形成された断面を有している挿入部２２が挿入され、隣接する２つの構成ユニット１は挿入部２２により連結される。好ましくはそのような組立戸棚を室内の中央に配置することにより室内の仕切りをし、組立戸棚に品物を容易にのせる或いはおろすことができる。
【００３２】
図１を参照すると、組み立てられた組立戸棚において、Ｌ型保護部２１が取付けられることにより外側に位置する構成ユニット１上には結合凹部１１が形成される。本発明の発明者は断面が梯形である挿入板１２を形成し、この挿入板１２を結合凹部１１に挿入するとき、２つのＬ型保護部２１と挿入板１２により１つの表面が形成される。それにより組立戸棚の強度を増加させ、組立戸棚の美観を獲得することができる。
【００３３】
図１を参照する。日常生活において所定の品物を遮光、防塵の収納空間に保存する必要がある。そのような問題を解決するため、全部または一部分の構成ユニット１にドア１５を設けることができる。ドア１５は次の種類がある。一つ目は、構成ユニット１の開口の一辺に回転軸が取付けられ、ドア１５が前記回転軸に回転可能に連結される片開きドアである。二つ目は、構成ユニット１の開口の中央に回転軸が取付けられ、ドア１５が前記回転軸を中心として回転する回転式ドアである。三つ目は、構成ユニット１の開口の上部と底部に対応する２つのスライド凹部を形成し、ドア１５が前記スライド凹部に結合されてスライドするスライドドアである。ドア１５は、木材、金属、ガラス等の材料で製造することができる。
【００３４】
組立戸棚が壁と当接するように配置されるとき、構成ユニット１の片側の開口にのみドア１５を取り付けることができる。この場合、壁面、構成ユニット１のフレームおよびドア１５により遮光、防塵の収納空間が形成される。組立戸棚を室内の中央に取り付けるとき、構成ユニット１の両側にドア１５をそれぞれ取り付けることができる。構成ユニット１の片側にのみドア１５を取り付ける場合、他の側の開口には密閉板１４を取り付けることができる。密閉板１４を構成ユニット１に結合するか或いは接着剤またはネジにより構成ユニット１に固定することができる。その場合、ドア１５、構成ユニット１および密閉板１４により収納空間が形成される。構成ユニット１に引き出し１６を取り付けることにより収納空間を形成することもできる。１つの構成ユニット１に一層または複数層の引き出し１６を取り付けることもできる。構成ユニット１のサイズまたはその中に収納される品物の大きさにより、１つの構成ユニット１に取り付けられる引き出し１６の層数を決定することができる。
【００３５】
図１を参照する。日常生活において構成ユニット１に体積が小さい品物を収納する場合がある。体積が小さい品物を構成ユニット１にそのまま収納すると、構成ユニット１の収納空間を占め、収納空間の無駄が発生するおそれがある。また、構成ユニット１に多数の品物を収納すると、所定の品物を容易に探し出すことができない。そのような問題を解決するため、全部または一部分の構成ユニット１内に分割板１７を取り付けることができる。分割板１７の形状は自由に設計することができる。例えば、平板のような分割板１７を採用することにより構成ユニット１を２つの収納空間に分割し、十字型の分割板１７を採用することにより構成ユニット１を４つの収納空間に分割することができる。分割板１７を製造するとき、分割板１７の外部のサイズを構成ユニット１の内部のサイズより少し大きくすることができる。その場合、分割板１７を構成ユニット１内に直接結合させることができるので、構成ユニット１内に結合凹部１１を形成する必要がなく、組立戸棚の強度を確保することができる。また、結合凹部１１の形成工程を実施する必要がないので、製造コストを低減することができる。その場合、使用者は体積が小さい品物を分類した後同類の品物を所定の収納空間に収納させることができるので、構成ユニット１の収納空間を節約し、所定の品物を容易に探し出すことができる。
【実施例２】
【００３６】
この実施例と前記実施例の相違点は、図４に示すとおり、組立戸棚を保護するとともに組立戸棚の底部の掃除を容易にするため組立戸棚の底部に支持フレーム１３を取り付けることにある。支持フレーム１３は木材または金属材料で製造することができる。支持フレーム１３と組立戸棚をそれぞれ製造し、支持フレーム１３を組立戸棚に取り付けることができる。他の実施例において、支持フレーム１３と組立戸棚をそれぞれ製造し、最低部の構成ユニット１に近接する支持フレーム１３の片側に二梯形型挿入部２２を形成することにより支持フレーム１３を構成ユニット１に結合させることができる。その場合、構成ユニット１の結合構造を充分に活用し、快適性を向上させることができる。組立戸棚において、構成ユニット１のサイズと形状は実際の需要により自由に設計し、それにより対応するＬ型保護部２１、挿入部２２および挿入板１２のサイズと形状も実際の需要により自由に設計することができる。組立戸棚において、一部分の構成ユニット１のサイズを他の構成ユニット１のサイズの任意の倍数、例えば２倍、３倍等にすることができる。一部分の構成ユニット１を縦方向に配置することによりワードローブを形成し、横方向に配置することにより大きい物を収納するロッカーを形成することができる。また、様々な機能を獲得するため、組立戸棚に一部分の構成ユニット１を増加させるか或いは減少させることにより組立戸棚の形状を自由に変化させ、組立戸棚を生活中の様々な場合に適用させることができる。
【実施例３】
【００３７】
図５を参照すると、組立戸棚は複数個の構成ユニット１で構成され、隣接する２つの構成ユニット１は結合凹部１１と挿入部２２により連結される。この実施例と前記実施例の相違点は、組立戸棚は保護板５を更に含み、保護板５は構成ユニット１で構成された構成体の外周に取付けられることにある。保護板５と構成ユニット１との間は結合凹部１１と挿入部２２により連結され、保護板５により組立戸棚の外周が平坦になるので、組立戸棚を快適に使用することができる。
【００３８】
組立戸棚を解体するとき、連結箇所の挿入部２２を取り外すことにより１つの構成ユニット１を取り外すことができる。組立戸棚を使用するとき、組立戸棚の台面は平坦になっており、組立戸棚は壁面と当接するように配置されるので、挿入部２２を取り外すとき、大きな力を与えないと挿入部２２を容易に取り外すことができない。それにより組立戸棚を容易に解体することができない。そのような問題を解決するため挿入部２２に引出装置３を取り付ける。
【００３９】
引出装置３は挿入部２２に固定連結され、挿入部２２から突出するか或いは挿入部２２内に収納されることができる。引出装置３が挿入部２２内に収納されるとき、その端部と組立戸棚の台面は平坦になる。引出装置３が挿入部２２から突出するとき、引出装置３は組立戸棚から突出するので、使用者は引出装置３を掴んで外部へ引き出すことにより引出装置３を引き出すことができる。そのとき引出装置３により挿入部２２は一緒に引き出される。
【００４０】
図６を参照すると、隣接する２つの構成ユニット１の連結を安定にするため挿入部２２の長さを構成ユニット１の幅と等しくする。すなわち挿入部２２の長さを組立戸棚の幅と等しくする。引出装置３が挿入部２２内に収納されるとき、引出装置３の端部と挿入部２２の端部は平坦になり、引出装置３が挿入部２２から突出するとき、引出装置３の端部は挿入部２２から使用者が掴める距離まで突出することができる。
【００４１】
引出装置３の端部が突出することは使用者が手で引出装置の端部を押すことにより実施される。実際の使用においては、組立戸棚を壁面と当接するように配置する場合と室内の仕切りとして室内の中央に配置する場合の二種の場合がある。組立戸棚が壁面と当接するように配置されるとき、使用者が手で引出装置の端部を押すことにより挿入部２２と隣接する２つの構成ユニット１との間の静止摩擦力を克服し、その後、押していた手を離すと、引出装置３の端部が突出する。
【００４２】
図７、図８を参照すると、引出装置３は、プラスチックで製造され、挿入部２２に固定される円筒部３０と、円筒部３０の内部にスライド可能に結合される引出棒３１と、円筒部３０内に取り付けられて引出棒３１の伸縮を駆動する弾性伸縮モジュール３２とを含む。弾性伸縮モジュール３２は、スペーサー３２０、スプリング３２１、止動部３２２、押し部３２３および位置決め部３２４を含む。スペーサー３２０は円筒部３０の端面に平行配置されかつ円筒部３０の中部に緊密に結合される。スプリング３２１はスペーサー３２０に当接する。図９を参照すると、止動部３２２は、円柱型の挿入柱体３２２０と、挿入柱体３２２０の軸線を円心としかつ挿入柱体３２２０の外周面に配列される４つの挿入板部３２２１とを含む。スプリング３２１の反対側に位置する挿入板部３２２１の一端は楔形面３２２２である。押し部３２３は、引出棒３１の軸線を円心としかつ引出棒３１の外周面に配列される８つの当接部３２３０と、止動部３２２に接近する引出棒３１の一端に均等に配列される楔形歯３２３１とを含む。楔形歯３２３１の数量は８個であり、この位置は当接部３２３０の位置と対応する。楔形歯３２３１の斜面は挿入板部３２２１の楔形面３２２２に結合される。位置決め部３２４は、一端に開口が形成される蓋部３２４０、蓋部３２４０の内周面に均等に形成される４つの位置決め凹部３２４２および４つの滑動凹部３２４１を含む。位置決め凹部３２４２と滑動凹部３２４１は交替に配置され、その間に形成されている距離は等しい。開口の反対側に位置する蓋部３２４０の片側には貫通孔が形成され、引出棒３１は前記貫通孔から突出する。引出棒３１の駆動により当接部３２３０は位置決め凹部３２４２と滑動凹部３２４１により形成された凹部内でスライドし、挿入柱体３２２０の駆動により挿入板部３２２１は４つの滑動凹部３２４１により形成された空間内でスライドすることができる。
【００４３】
引出装置３を使用するとき、使用者は手で円筒部３０から突出している引出棒３１の一端を押す。この場合、引出棒３１は当接部３２３０が位置決め凹部３２４２および滑動凹部３２４１に結合されることにより直線にスライドし、それにより挿入柱体３２２０は挿入板部３２２１が滑動凹部３２４１内でスライドするように駆動し、挿入柱体３２２０は下へスライドしながらスプリング３２１を圧縮する。挿入板部３２２１が滑動凹部３２４１から完全に離脱するとき、引出棒３１はその上の楔形歯３２３１と挿入板部３２２１上の楔形面３２２２により挿入柱体３２２０が挿入板部３２２１を４５度回転させるように駆動する。すなわち挿入板部３２２１が所定の位置決め凹部３２４２と対応する位置まで回転するとき、引出棒３１の端部は収縮状態になり、引出棒３１の端部と挿入部２２の端面は平坦になる。引出棒３１の一端を再び押すとき、引出棒３１はその上の楔形歯３２３１と挿入板部３２２１上の楔形面３２２２により挿入柱体３２２０が挿入板部３２２１を４５度回転させるように駆動する。このとき、挿入板部３２２１は所定の滑動凹部３２４１と対応する位置まで回転し、スプリング３２１が圧縮状態から自然状態になることにより挿入柱体３２２０は挿入板部３２２１が滑動凹部３２４１内でスライドするように駆動する。それにより引出棒３１は突出する。前記ステップを繰り返すことにより引出装置３は挿入部２２から突出するか或いは挿入部２２内に収納されることができる。引出装置３が突出しているとき、使用者が手でそれを掴んで引き出すことにより引出装置３を挿入部２２から引き出すことができる。
【実施例４】
【００４４】
この実施例と実施例３の相違点は図１０で参照することができる。使用者が手で引出装置３を押すとき、挿入部２２が引出装置３に充分な抗力を与えることを確保するため、隣接する２つの構成ユニット１の凹部により形成された孔に木製楔４を挿入することができる。木製楔４により引出装置３に充分な抗力を与えることができる。
【実施例５】
【００４５】
この実施例と実施例３の相違点は図１１と図１２で参照することができる。組立戸棚を壁面と当接するように配置するとき、作業者のミスにより、押すための引出装置３が壁面側に配置されるおそれがある。その場合使用者は引出装置３を使用することができない。そのような問題を解決するため、引出装置３の両方に伸縮可能な引出装置をそれぞれ設けることができる。すなわち円筒部３０のスペーサー３２０を中心として二組の引出棒３１と弾性伸縮モジュール３２を対称に設けることができる。注意すべきことは、挿入部２２と組立戸棚の結合による抗力は使用者が引出装置３を押す力より大きくなければならない。
【００４６】
以上、本発明の具体的な実施例を詳述してきたが、前記実施例は、本発明を説明するためのものであり、本発明を限定するものでない。本技術分野の技術者は本発明の明細書に記載されている具体的な実施例により創造的な研究をしなくも前記実施例の変更例を想到することができ、そのような変更例等があっても本発明の特許請求の範囲が定めた範囲に含まれることは勿論である。
【符号の説明】
【００４７】
１  構成ユニット
１１  梯形結合凹部
１２  挿入板
１３  支持フレーム
１４  密閉板
１５  ドア
１６  引き出し
１７  分割板
２  連結装置
２１  Ｌ型保護部
２２  挿入部
３  引出装置
３０  円筒部
３１  引出棒
３２  弾性伸縮モジュール
３２０  スペーサー
３２１  スプリング
３２２  止動部
３２２０  挿入柱体
３２２１  挿入板部
３２２２  楔形面
３２３  押し部
３２３０  当接部
３２３１  楔形歯
３２４  位置決め部
３２４０  蓋部
３２４１  滑動凹部
３２４２  位置決め凹部
４  木製楔
５  保護板
【図１】
2019527122.tif 000003
【図２】
2019527122.tif 000004
【図３】
2019527122.tif 000005
【図４】
2019527122.tif 000006
【図５】
2019527122.tif 000007
【図６】
2019527122.tif 000008
【図７】
2019527122.tif 000009
【図８】
2019527122.tif 000010
【図９】
2019527122.tif 000011
【図１０】
2019527122.tif 000012
【図１１】
2019527122.tif 000013
【図１２】
2019527122.tif 000014
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
構成ユニット（１）と連結装置（２）を含む組立戸棚であって、前記連結装置（２）は構成ユニット（１）の外周の４つのアングルにそれぞれ取付けられるＬ型保護部（２１）と挿入部（２２）を含み、対向する任意の２つのＬ型保護部（２１）の側面と構成ユニット（１）の外部壁部により梯形結合凹部（１１）が形成され、梯形結合凹部（１１）内には２つの梯形が接続されて形成された断面を有している挿入部（２２）が挿入され、隣接する２つの構成ユニット（１）は挿入部（２２）により連結され、挿入部（２２）には引出装置（３）が取り付けられ、引出装置（３）は、挿入部（２２）に固定される円筒部（３０）と、前記円筒部（３０）の内部にスライド可能に結合される引出棒（３１）と、円筒部（３０）内に取り付けられて引出棒（３１）の伸縮を駆動する弾性伸縮モジュール（３２）とを含み、引出棒（３１）の端部を押すことにより引出棒（３１）を突出させるとき、引出棒（３１）の長さは手で掴むことができる長さになることを特徴とする組立戸棚。
【請求項２】
前記結合凹部（１１）内には断面が梯形である挿入板（１２）が挿入されることを特徴とする請求項１に記載の組立戸棚。
【請求項３】
前記組立戸棚の底部には組立戸棚が地面から離れるように支持する支持フレーム（１３）が取り付けられていることを特徴とする請求項１に記載の組立戸棚。
【請求項４】
前記構成ユニット（１）の前端には開口が形成され、前記開口上には密閉板（１４）、ドア（１５）、引き出し（１６）または分割板（１７）が取付けられることを特徴とする請求項１に記載の組立戸棚。
【請求項５】
前記構成ユニット（１）の後端には開口が形成され、前記開口上には密閉板（１４）またはドア（１５）が取付けられることを特徴とする請求項４に記載の組立戸棚。
【請求項６】
前記結合凹部（１１）の片側には挿入部（２２）の移動を防止する木製楔（４）が挿入されていることを特徴とする請求項１に記載の組立戸棚。
【請求項７】
前記円筒部（３０）の内部には二組の引出棒（３１）と引出棒（３１）の移動を駆動する二組の弾性伸縮モジュール（３２）とが対称に取り付けられることを特徴とする請求項１に記載の組立戸棚。
【請求項８】
前記弾性伸縮モジュール（３２）は、スペーサー（３２０）、スプリング（３２１）、止動部（３２２）、押し部（３２３）および位置決め部（３２４）を含み、スペーサー（３２０）は円筒部（３０）の端面に平行配置されかつ円筒部（３０）の中部に緊密に結合され、スプリング（３２１）はスペーサー（３２０）に当接し、止動部（３２２）は挿入柱体（３２２０）と挿入柱体（３２２０）の軸線を円心としかつ挿入柱体（３２２０）の外周面に配列される４つの挿入板部（３２２１）とを含み、スプリング（３２１）の反対側に位置する挿入板部（３２２１）の一端は楔形面（３２２２）であり、押し部（３２３）は引出棒（３１）の軸線を円心としかつ引出棒（３１）の外周面に配列される８つの当接部（３２３０）と止動部（３２２）に接近する引出棒（３１）の一端に均等に配列される楔形歯（３２３１）とを含み、楔形歯（３２３１）の数量は８個でありかつこの位置は当接部（３２３０）の位置と対応し、楔形歯（３２３１）の斜面は挿入板部（３２２１）の楔形面（３２２２）に結合され、位置決め部（３２４）は、一端に開口が形成される蓋部（３２４０）、蓋部（３２４０）の内周面に均等に形成される４つの位置決め凹部（３２４２）および４つの滑動凹部（３２４１）を含み、位置決め凹部（３２４２）と滑動凹部（３２４１）は交替に配置されかつその間に形成されている距離は等しく、開口の反対側に位置する蓋部（３２４０）の片側には貫通孔が形成され、引出棒（３１）は前記貫通孔から突出し、引出棒（３１）の駆動により当接部（３２３０）は位置決め凹部（３２４２）と滑動凹部（３２４１）により形成された凹部内でスライドし、挿入柱体（３２２０）の駆動により挿入板部（３２２１）は４つの滑動凹部（３２４１）により形成された空間内でスライドすることを特徴とする請求項１〜７のうちいずれか一項に記載の組立戸棚。
【請求項９】
前記引出装置（３）はプラスチックで製造されることを特徴とする請求項８に記載の組立戸棚。
【請求項１０】
前記組立戸棚は保護板（５）を更に含み、保護板（５）は構成ユニット（１）で構成された構成体の外周に取付けられることを特徴とする請求項９に記載の組立戸棚。
【国際調査報告】
2019527122.tif 000015
2019527122.tif 000016
2019527122.tif 000017
2019527122.tif 000018
2019527122.tif 000019
2019527122.tif 000020